(57)【特許請求の範囲】
【請求項１】
ファクシミリ機能とコピー機能、プリンタ機能の少なくとも一方を有する複合型の画像形成装置において、
ファクシミリ文書を受信するファクシミリ文書受信手段と、
上記ファクシミリ文書を所定の印刷ジョブとして記憶する記憶手段と、
上記記憶手段に記憶された印刷ジョブに係るファクシミリ文書を所定サイズの媒体に印刷する印刷手段と、
上記印刷手段による上記ファクシミリ文書の両面印刷の実行過程において、上記所定サイズの媒体が不足した場合には、各ページの印刷順序に関する情報を有する所定のテーブルに基づいて、スタック中の最も大きなページから１ページ目までの両面印刷を実行してスタックされた媒体を排出し、残りのページについては上記所定のサイズより大きい他のサイズの媒体による印刷を実行するよう制御する制御手段と、
を具備することを特徴とする画像形成装置。
【請求項２】
上記制御手段は、上記残りのページについては更に印刷形態を変更した印刷を実行することを特徴とする請求項１に記載の画像形成装置。
【請求項３】
上記制御手段は、上記所定サイズの媒体が不足して上記印刷が行われた場合には上記記憶手段の印刷ジョブを保持することを更に特徴とする請求項１又は２のいずれかに記載の画像形成装置。
【請求項４】
上記記憶手段に印刷ジョブを蓄積保持する蓄積保持時間を設定し、当該蓄積保持時間を経過した後においては当該印刷ジョブを自動的に破棄する印刷ジョブ削除手段を更に具備することを特徴とする請求項３に記載の画像形成装置。
【請求項５】
上記記憶手段の印刷ジョブを表示する表示手段と、当該表示で印刷ジョブを確認し、再度の印刷完了後に印刷ジョブの削除を指示する指示手段と、を更に具備することを特徴とする請求項３に記載の画像形成装置。
【請求項６】
上記記憶手段の印刷ジョブを表示する表示手段と、任意の印刷ジョブを選択し削除する指示手段と、を更に具備することを特徴とする請求項３に記載の画像形成装置。
【請求項７】
ファクシミリ機能とコピー機能、プリンタ機能の少なくとも一方を有する複合型の画像形成装置による画像形成方法において、
ファクシミリ文書受信手段によりファクシミリ文書を受信するステップと、
上記ファクシミリ文書を所定の印刷ジョブとして記憶手段に記憶するステップと、
上記記憶手段に記憶された印刷ジョブに係るファクシミリ文書を印刷手段により所定サイズの媒体に印刷するステップと、
制御手段により、上記印刷手段による上記ファクシミリ文書の両面印刷の実行過程において、上記所定サイズの媒体が不足した場合には、各ページの印刷順序に関する情報を有する所定のテーブルに基づいて、スタック中の最も大きなページから１ページ目までの両面印刷を実行してスタックされた媒体を排出し、残りのページについては上記所定のサイズより大きい他のサイズの媒体による印刷を実行するよう制御するステップと、
を有することを特徴とする画像形成方法。
【請求項８】
上記制御手段により、上記残りのページについては更に印刷形態を変更した印刷を実行することを特徴とする請求項７に記載の画像形成方法。
【請求項９】
上記制御手段により、上記所定サイズの媒体が不足して上記印刷が行われた場合には、上記記憶手段の印刷ジョブを保持することを特徴とする請求項７又は８のいずれかに記載の画像形成方法。
【請求項１０】
上記記憶手段に印刷ジョブを蓄積保持する蓄積保持時間を経過した後においては当該印刷ジョブを自動的に破棄するステップと更に有することを特徴とする請求項９に記載の画像形成方法。
【請求項１１】
上記記憶手段の印刷ジョブを表示するステップと、当該表示で印刷ジョブを確認し、再度の印刷完了後に印刷ジョブの削除を指示するステップと、を更に有することを特徴とする請求項９に記載の画像形成方法。
【請求項１２】
上記記憶手段の印刷ジョブを表示するステップと、任意の印刷ジョブを選択し削除するステップと、を更に有することを特徴とする請求項９に記載の画像形成方法。
【発明の詳細な説明】
【０００１】
【発明の属する技術分野】
本発明は、例えばデジタルコピー機能、ファクシミリ機能、プリンタ機能を有する複合型の画像形成装置及び画像形成方法に関する。
【０００２】
【従来の技術】
従来、デジタルコピー機能、ファクシミリ機能、プリンタ機能を有する複合型の画像形成装置には、オペレータの存在の有無に関わらず、ファクシミリ受信文書を自動的に印刷する機能を有するものがある。このような機能の下では、ファクシミリ受信文書の印刷中に給紙トレイの用紙が無くなっても、印刷可能な他の大きいサイズの用紙に切り替えて印刷が続行される。
【０００３】
一方、デジタルコピー機能のＡＤＵ（自動両面装置）を使用した両面印刷機能を利用して、ファクシミリ受信文書の印刷設定を「両面印刷」に設定し、当該ファクシミリ受信文書を自動的に両面印刷することで、用紙の枚数を節約する画像形成装置に関する技術も開発されている。
【０００４】
以上説明したような機能を有する画像形成装置においては、ファクシミリ受信文書は、その装置のオペレータの存在の有無に関わらず、ファクシミリ受信の完了後に印刷可能であれば自動的に印刷され、印刷ジョブが完了されることになる。
【０００５】
【発明が解決しようとする課題】
しかしながら、上記両面印刷が設定されている場合、ファクシミリ文書の受信後に自動的に両面印刷を開始することになるが、当該両面印刷中に用紙が不足すると、既にＡＤＵにスタック中の用紙があるため、大きいサイズの用紙に切り替えて両面印刷を続行できず、その結果、オペレータが用紙を補給するまで用紙無しの状態で印刷の中断状態を継続することになる。
【０００６】
このため、印刷ジョブキューにキューイングしている次のファクシミリ受信文書の印刷を含めて、プリンタの印刷ジョブも、それぞれの印刷ジョブで印刷可能な用紙が装備されているにもかかわらず、上記中断ジョブがあるため、印刷が開始されないといった問題が生じていた。
【０００７】
本発明は、上記問題に鑑みてなされたもので、その目的とするところは、ファクシミリ受信文書の自動印刷中の用紙不足発生に伴う他の印刷ジョブの処理の遅延を回避すると共に、メモリの効率使用を可能とすることにある。
【０００８】
【課題を解決するための手段】
上記目的を達成するために、本発明の第１の態様では、ファクシミリ機能とコピー機能、プリンタ機能の少なくとも一方を有する複合型の画像形成装置において、ファクシミリ文書を受信するファクシミリ文書受信手段と、上記ファクシミリ文書を所定の印刷ジョブとして記憶する記憶手段と、上記記憶手段に記憶された印刷ジョブに係るファクシミリ文書を所定サイズの媒体に印刷する印刷手段と、上記印刷手段による上記ファクシミリ文書の両面印刷の実行過程において、上記所定サイズの媒体が不足した場合には、各ページの印刷順序に関する情報を有する所定のテーブルに基づいて、スタック中の最も大きなページから１ページ目までの両面印刷を実行してスタックされた媒体を排出し、残りのページについては上記所定のサイズより大きい他のサイズの媒体による印刷を実行するよう制御する制御手段とを具備することを特徴とする画像形成装置が提供される。
本発明の第２の態様では、上記第１の態様において、上記制御手段は、上記残りのページについては更に印刷形態を変更した印刷を実行することを特徴とする画像形成装置が提供される。
本発明の第３の態様では、上記第１又は第２の態様において、上記制御手段は、上記所定サイズの媒体が不足して上記印刷が行われた場合には上記記憶手段の印刷ジョブを保持することを更に特徴とする画像形成装置が提供される。
本発明の第４の態様では、上記第３の態様において、上記記憶手段に印刷ジョブを蓄積保持する蓄積保持時間を設定し、当該蓄積保持時間を経過した後においては当該印刷ジョブを自動的に破棄する印刷ジョブ削除手段を更に具備することを特徴とする画像形成装置が提供される。
本発明の第５の態様では、上記第３の態様において、上記記憶手段の印刷ジョブを表示する表示手段と、当該表示で印刷ジョブを確認し、再度の印刷完了後に印刷ジョブの削除を指示する指示手段と、を更に具備することを特徴とする画像形成装置が提供される。
本発明の第６の態様では、上記第３の態様において、上記記憶手段の印刷ジョブを表示する表示手段と、任意の印刷ジョブを選択し削除する指示手段と、を更に具備することを特徴とする画像形成装置が提供される。
本発明の第７の態様では、ファクシミリ機能とコピー機能、プリンタ機能の少なくとも一方を有する複合型の画像形成装置による画像形成方法において、ファクシミリ文書受信手段によりファクシミリ文書を受信するステップと、上記ファクシミリ文書を所定の印刷ジョブとして記憶手段に記憶するステップと、上記記憶手段に記憶された印刷ジョブに係るファクシミリ文書を印刷手段により所定サイズの媒体に印刷するステップと、制御手段により、上記印刷手段による上記ファクシミリ文書の両面印刷の実行過程において、上記所定サイズの媒体が不足した場合には、各ページの印刷順序に関する情報を有する所定のテーブルに基づいて、スタック中の最も大きなページから１ページ目までの両面印刷を実行してスタックされた媒体を排出し、残りのページについては上記所定のサイズより大きい他のサイズの媒体による印刷を実行するよう制御するステップと、を有することを特徴とする画像形成方法が提供される。
本発明の第８の態様では、上記第７の態様において、上記制御手段により、上記残りのページについては更に印刷形態を変更した印刷を実行することを特徴とする画像形成方法が提供される。
本発明の第９の態様では、上記第７又は第８の態様において、上記制御手段により、上記所定サイズの媒体が不足して上記印刷が行われた場合には、上記記憶手段の印刷ジョブを保持することを特徴とする画像形成方法が提供される。
本発明の第１０の態様では、上記第９の態様において、上記記憶手段に印刷ジョブを蓄積保持する蓄積保持時間を経過した後においては当該印刷ジョブを自動的に破棄するステップと更に有することを特徴とする画像形成方法が提供される。
本発明の第１１の態様では、上記第９の態様において、上記記憶手段の印刷ジョブを表示するステップと、当該表示で印刷ジョブを確認し、再度の印刷完了後に印刷ジョブの削除を指示するステップと、を更に有することを特徴とする画像形成方法が提供される。
本発明の第１２の態様では、上記第９の態様において、上記記憶手段の印刷ジョブを表示するステップと、任意の印刷ジョブを選択し削除するステップと、を更に有することを特徴とする画像形成方法が提供される。
【００２０】
【発明の実施の形態】
以下、図面を参照して、本発明の実施の形態について説明する。
図１は本発明の実施の形態に係る画像形成装置の制御系の構成図である。
同図に示されるように、全体の管理を司る全体管理部６は、ファクシミリ文書を受信するＦａｘ機能部１に接続されると共に、操作パネル制御部３を介して各種操作を行う操作パネル部２に、画像メモリ制御部５を介して画像データを記憶する画像メモリ部４に、印刷制御部７を介して印刷動作を行うプリンタ部８に、印刷ジョブ制御部９を介して印刷ジョブを記憶、削除等するための印刷ジョブキュー１０に、それぞれ接続されている。
【００２１】
ここで、図２は上記した制御系を含む、本画像形成装置としてのデジタル複写機の全体構成を概略的に示す図である。
このデジタル複写機２０１はスキャナ２０２及びプリンタ（レーザエンジン）２０３を備え、上部に自動原稿送り装置（ＡＤＦ）２０４を装着している。
【００２２】
自動原稿送り装置２０４は、筐体としてのカバー本体２１の後端縁部が、装置本体の上面後端縁部に図示しないヒンジ装置を介して開閉自在に取付けられており、必要に応じて自動原稿送り装置２０４全体を回動変位させて原稿台２０５上を開放し得る構成となっている。
【００２３】
カバー本体２１の上面やや右方向部位には、複数枚の原稿を一括保持し得る原稿給紙台２２が設けられている。装置の一端側には、原稿を順次一枚ずつ取出し原稿台２０５の一端側（図中左端側）に供給する給送手段２３が設けられている。給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。さらに、ピックアップローラ２７の原稿取出し方向には、給紙ローラ３２が配置され、確実に原稿が一枚ずつ給送されるようになっている。
【００２４】
原稿台２０５の上面には、これを覆う原稿搬送ベルト３７が張設されている。原稿搬送ベルト３７は、一対のベルトローラ４０，４０に掛渡された外表面が白色の幅広無端ベルトからなり、ベルト駆動機構（図示しない）によって正逆両方向に走行し得る構成となっている。また、原稿搬送ベルト３７の内局部の裏面側には、ベルト面を原稿台２０５上に押さえ付けるための複数のベルト押えローラ４１…および自動原稿送り装置４の開閉状態を検知するセットスイッチ（図示せず）が設けられている。そして、前記給送手段２３によって給送された原稿を、原稿台２０５の一端側（左端側）から他端側（右端側）に搬送する。装置の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。原稿排出路の下流側には、排紙ローラ４８が配設されている。また、原稿排出路には、原稿を表裏返にして原稿台２０５に導くためにゲート４９が設けられ、原稿を両面複写可能としている。
【００２５】
読取手段としてのスキャナ２０２は、光源としての露光ランプ２０６、ミラー１５を設置した第１キャリッジ２０７、光路を折曲げるミラー２０８ａ，２０８ｂを設置した第２キャリッジ２０９、レンズ２１０、反射光を受光するＣＣＤセンサ１１、これらを各部の位置を変更する駆動系（図示しない）、およびＣＣＤセンサ１１の出力つまり画像データ（情報）をアナログデータからデジタルデータに変換するＡ／Ｄ変換部（図示せず）により構成されている。上記第１、第２キャリッジ２０７，２０９は、互いにタイミングベルト（図示しない）で結ばれており、第２キャリッジ９は第１キャリッジ２０７の１／２の速さで同じ方向に移動するようになっている。これにより、レンズ２１０までの光路長が一定になるように走査できるようになっている。
【００２６】
上記レンズ２１０は、焦点距離固定で、変倍時に光軸方向へ移動されるようになっている。ＣＣＤセンサ１１は、原稿の１画素がＣＣＤセンサの１つの素子に対応している。ＣＣＤセンサ１１の出力はＡ／Ｄ変換部へ出力されるようになっている。第１、第２キャリッジ２０７，２０９、ミラー１２ａ，１２ｂの移動は、それぞれステッピングモータ（図示しない）により行われるようになっている。上記第１、第２キャリッジ２０７，２０９は、上記ステッピングモータの回転軸に連結されたドライブプーリ（図示レない）とアイドルプーリ（図示しない〉間に掛渡されたタイミングベルト（図示しない）の動作に応じて移動されるようになっている。上記レンズ２１０は、対応するステッピングモータ（図示しない）によりスパイラルシャフト（図示しない）が回転し、このスパイラルの動きによって光軸方向へ移動されるようになっている。
【００２７】
符号６０はレーザダイオードで、このレーザダイオード６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００２８】
画像形成手段としてのプリンタ２０３は、たとえばレーザ光学系と転写紙に画像形成が可能な電子写真方式を組み合せている。すなわち、プリンタ２０３は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、クリーニング前除電チャージャ５７、クリーナ５８、除電ランプ５９、及び帯電チャージャ６１が順に配置されている。感光体ドラム５０は、帯電チャージャ６１によって一様に帯電されるようになっているとともに、スキャナ２０２からレーザ光を出力して前記感光体ドラム５０上に原稿の画像を結像し、静電潜像が形成されるようになっている。
【００２９】
そして、前記感光体ドラム５０上に形成された静電潜像は、現像装置５４により現像され、後述する給紙手段としての給紙カセット３０から給紙ローラ２０、アライニンクローラ２５を介して送紙されるコピー用紙（被画像形成媒体）Ｐ上に現像画像を転写チャージャ５５により転写される。
【００３０】
この転写チャージャ５５による転写後のコピー用紙Ｐは、剥離チャージャ５６のＡＣコロナ放電により剥離されて、搬送ベルトを介して定着器７１に搬送され、この定着器７１によって現像画像が溶融定着されたコピー用紙Ｐは、排紙ローラ対７３により排紙トレイ７４ａを有するユニット７４に排出される。ユニット７４は排紙ローラ対７３から排出されるコピー用紙Ｐをフェイスダウンするローラ対７４ｂを有し、さらユニット７４の上部にステープルソートモードの際に１部毎にステープルするステープラ７４ｃを有している。
【００３１】
一方、前記コピー用紙Ｐへの現像画像の転写・剥離後の感光体ドラム５０上に残留した現像剤は、クリーニング前陰電チャージャ５７で予め除電された後、クリーナ５８により清掃され、除電ランプ５９により感光体ドラム５０上の電位が一定のレベル以下にされ、次のコピー動作を可能にしている。
【００３２】
なお、コピー用紙Ｐの両面に印刷する両面コピーの場合には、前述した定着器７１によって現像画像が溶融定着されたコピー用紙Ｐは搬送路７５ａを介して搬送された後、トレイ７５ｂに蓄積される。このトレイ７５ｂに蓄積された片面印刷済みの用紙Ｐは搬送路７５ｃを介して前述した転写チャージャ５５に搬送され、印刷されていない他方の面に現像画像が転写される。また、トレイ７５ｂの下部には、光反射型の紙センサ７５ｄが設けられ、トレイ７５ｂ上にスタックされる用紙の有無が検知される。
【００３３】
また、搬送路７５ａ、トレイ７５ｂ、搬送路７５ｃ、及び紙センサ７５ｄとから自動両面反転機構としての自動両面装置（ＡＤＵ）７５が構成されている。また、図中３０は前記装置本体１のフロント側より着脱自在に上下複数段に装着された給紙手段としての給紙カセットである。この給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、プリンタ２０３に向け搬送されるようになっているものである。
【００３４】
また、装置本体の右サイド側には、着脱自在に装着された給紙カセット４３と大容量給紙装置（ＬＣＦ）４７とが設けられている。給紙カセット４３に収納されたコピー用紙Ｐは、ピックアップローラ４０ａにて最上層からピックアップされて取り出されるようになっている。このピックアップローラ４３ａにて取り出されて給紙カセット４３の取出し端部側に送り込まれたコピー用紙Ｐは、給紙カセット４３の取出し端部の内側上方に設置された給紙ローラ４３ｂと分離ローラ４３ｃとからなる用紙分離部にて一枚ずつ分離されて、プリンタ２０３に向け搬送されるようになっている。ＬＣＦ４７に収納されたコピー用紙Ｐは、ピックアップローラ４７ａにて最上層からピックアップされて取り出されるようになっている、このピックアップローラ４７ａにて取り出されてＬＣＦ４７の取出し端部側に送り込まれたコピー用紙Ｐは、ＬＣＦ４７の取出し端部の内側上方に設置された給紙ローラ４７ｂと分離ローラ４７ｃとからなる用紙分離部にて一枚ずつ分離されて、プリンタ２０３に向け搬送されるようになっている。
【００３５】
図３は画像形成装置の操作パネルの構成を示すものである。
すなわち、操作パネル９１は、ＨＥＬＰキー１３０、自動用紙選択キー１３１、自動倍率選択キー１３２、ズーム／１００％キー１３３、用紙サイズキー１３４，ＬＣＤパネル１３５、予熱キー１３６、割り込みキー１３７、オールクリアキー１３８、クリア／ストップキー１３９、スタートキー１４０、テンキー１４１、ポーズキー１４２、トータルカウンター表示器１４３、およびクリップ受け１４４などから構成されている。また、円Ｄで囲まれている３個の表示器は、コピー状態を示す表示器Ｄ１、ファックスの受信原稿あり、通信中、アラームの動作状態を示す表示器Ｄ２、およびプリンタのデータ有りとアラームの状態を示す表示器Ｄ３である。
【００３６】
以下、図４のフローチャートを参照して、実施の形態に係る画像形成装置により、Ｆａｘ機能部１において受信したファクシミリ受信文書を画像メモリ４に蓄積すると同時に、全体管理部６において受信完了まで監視して、受信完了時に印刷ジョブキュー１０に受信印刷ジョブとして登録する過程を説明する。
【００３７】
このとき、印刷ジョブキュー１０の印刷ジョブと画像メモリ４上の画像データは関連付けられる。即ち、Ｆａｘ機能部１でファクシミリ文書を受信し（ステップＳ１）、全体管理部６で画像メモリ制御部５を制御して、画像メモリ部４に上記ファクシミリ受信文書を蓄積する（ステップＳ２）。
【００３８】
Ｆａｘ機能部１は、ファクシミリ受信完了後に全体管理部６に通知して受信終了を画像メモリ制御部５に通知する。画像メモリ制御部５は、メモリ蓄積完了を全体管理部６に通知して、該全体管理部６は印刷ジョブ制御部９にジョブ登録を要求し、図１０に示されるようなジョブパラメータテーブルを作成して、印刷ジョブキュー１０に登録する（ステップＳ３）。
【００３９】
ここで、印刷ジョブ制御部９は、印刷ジョブキュー１０に対して印刷ジョブの登録、取り出し、削除、優先印刷ジョブの選択、印刷ジョブパラメータテーブルへの印刷履歴の記憶、印刷形態の変更等を行う。
【００４０】
基本的な両面印刷を説明すると、図１１（ａ）に示されるように、例えば印刷ジョブのページ数が１０ページである場合を想定すると、２ページから印刷が開始され、当該２ページの印刷が終了すると、ＡＤＵ（自動両面装置）に搬送されスタックされる。このことは、図２の符号３０から用紙が給紙されて搬送路２０を介してドラム５０で用紙に画像が転写され、ヒートローラ７１で定着されることを意味する。この用紙は排出されないで、ＡＤＵ７５に表裏反転されてスタックされ、表面に最後の１ページ目の印刷を待つ状態となる。
【００４１】
以上の動作が引き続き行われ、図１１（ａ）に示されるように、５番目の印刷が終了すると、６番目の印刷を開始して、同様の処理を経て、排出ビン７４ａに排出され、スタックされることとなる。この図１１（ａ）に示される順番で、最後に１ページ目が印刷され、図１０の排出ビン７４ａに１ページ目が排出用紙の１枚目を上向きとしてスタックされる。
【００４２】
次に図５のフローチャートを参照して、本発明の一実施の形態に係る画像形成装置の動作を詳細に説明する。尚、本動作は画像形成方法に相当する。
先の受信印刷ジョブ登録によって印刷ジョブがあることを印刷ジョブ制御部９で判断し、印刷ジョブパラメータテーブルから両面設定であることも判断し、図１１（ａ）に示される印刷ページ管理を行い、印刷制御部７でプリンタ部８を動作させて両面印刷を開始する（ステップＳ１１乃至Ｓ１５）。
【００４３】
上記両面印刷中に印刷制御部７で用紙無しを検知した場合は（ステップＳ１３）、その受信印刷原稿より大きいサイズの用紙を印刷制御部７で検索する。例えば、Ａ４の受信印刷文書に対して、Ｂ４あるいはＡ３の用紙が存在しているか検索する（ステップＳ１６）。ここで、大きいサイズの用紙が無い場合は用紙補給されるまで待機する（ステップＳ１７）。
【００４４】
例えば、図１１（ｂ）に示されるように、３番目の印刷終了時に用紙無しが判明した場合を想定すると、大きい用紙が存在するか検索して、大きいサイズの用紙があれば、現在ＡＤＵにスタックされている用紙に対して４番目の印刷を開始して両面印刷して排出することになる。
【００４５】
最終的に、排紙ビンには１ページから６ページのＡ４両面印刷が３枚スタックされている。このように、両面印刷中に用紙が無くなった場合は、既にＡＤＵにスタック中の最も大きなページに相当する奇数ページから１ページ目までを順次両面印刷してＡＤＵから用紙を排出する（ステップＳ１８）。
【００４６】
ＡＤＵから全用紙を排出完了すると、用紙サイズを変更するだけでなく印刷形態を変えて残りのページは最終ページから印刷可能な大きいサイズの用紙を選択して片面印刷を行う（ステップＳ１９乃至Ｓ２１）。この片面印刷の過程においても、例えば用紙不足、用紙ジャム等といった印刷トラブルが生じた場合には、当該印刷トラブルを回避するための措置がとれるようになっている（ステップＳ２０，Ｓ２１）。
【００４７】
以上の処理の結果、印刷の中断は発生しないで、後続のキューイング中の印刷ジョブを実行することができる。
例えば、図１１（ｂ）では、両面印刷をＡＤＵのスタック分は完了させて７番目の印刷は片面印刷として実行する。具体的には、１０ページ目を装置に装填されている、例えばＡ４より大きいサイズのＢ４用紙に印刷する。この事を繰り返して、最後は７ページ目を印刷して完了する。このとき、印刷トラブルがあれば解除されるまで待機することになる。
【００４８】
また、図１１（ｃ）に示されるように、用紙無し以降は、大きいサイズの用紙を検索して両面印刷することもできる。そのため、後続の印刷ジョブは待たされることなく、印刷完了させることができる。
【００４９】
次に図６は実施の形態に係る画像形成装置による印刷ジョブの削除の可否を選択する処理を示すフローチャートである。
本来、両面印刷ジョブでありながら用紙不足の要因による中断回避のため印刷形態を変更した片面印刷は、ユーザの意図とは違う印刷結果となる。
【００５０】
そこで、この実施の形態に係る画像形成装置では、印刷完了後も印刷ジョブを削除することなく、印刷ジョブキューに保持することとしている。
即ち、印刷ジョブがあることが検出され（ステップＳ３１）、印刷を完了すると（ステップＳ３２）、印刷ジョブとして正常に印刷が終了している場合には、印刷ジョブキュー１０から当該印刷ジョブを削除し（ステップＳ３４）、正常に終了していない場合には、印刷ジョブキュー１０に当該印刷ジョブを残すこととしている（ステップＳ３５）。
【００５１】
尚、印刷ジョブを、印刷ジョブキュー１０に保持するときには、図１０の印刷ジョブパラメータテーブル上に一度印刷を実行した意味合いで印刷履歴をマークすることとしている。
【００５２】
次に図７は実施の形態に係る画像形成装置による印刷ジョブの確認処理を示すフローチャートである。
保持された印刷ジョブは、ジョブ確認操作によって図３の操作パネル上で確認して（ステップＳ４１）、印刷ジョブキュー１０から任意のジョブを選択して印刷を開始することができる（ステップＳ４２，Ｓ４３）。この印刷動作の途中で印刷トラブルが発生した場合には、当該印刷トラブルを解除できるような措置を取ることができる（ステップＳ４５，Ｓ４６）。
【００５３】
以上の印刷終了後には、ユーザによる印刷ジョブの削除の可否を選択できるようになっている（ステップＳ４７，Ｓ４８）。
ここで、印刷ジョブキュー１０に印刷ジョブが保持されると、該ジョブに付随する画像データも画像メモリ部４より削除できないため、画像メモリ部４のメモリオーバーの要因となる。かかる点に鑑みて、本実施の形態に係る画像形成装置では、印刷ジョブを手動削除又は自動削除可能としている。
【００５４】
即ち、印刷ジョブの手動削除では、図８のフローチャートに示されるように、ジョブ確認操作を行い（ステップＳ５１）、図３の操作パネル上からジョブキューを任意に選択して削除する（ステップＳ５２，Ｓ５３）。
【００５５】
これに対して、印刷ジョブの自動削除では、図９のフローチャートに示されるように、印刷履歴のある印刷ジョブは前回の印刷完了からの保持時間をカウントして一定時間を経過した印刷ジョブは自動的に削除してメモリオーバーを回避する（ステップ６１乃至Ｓ６３）。
【００５６】
以上説明したように、本発明によれば、ファクシミリ受信文書の両面印刷中に用紙不足等が発生した場合において、印刷形態変更により印刷処理の中断を回避して、その印刷を完了させることで、印刷ジョブキューにキューイングされている他の印刷ジョブを待たせないようにすることができる。
【００５７】
さらに、印刷処理の中断回避によって発生した意図しない印刷形態で完了した印刷ジョブは、印刷ジョブキューからは削除しないで保持するので、再度所望とする印刷を行えることとなる。
【００５８】
また、印刷履歴ありの保持している印刷ジョブを時間で管理して自動的にジョブキューから削除してジョブに付随する画像メモリ上の印刷画像データを同時に削除するため画像メモリのメモリオーバーを回避することができる。
【００５９】
【発明の効果】
以上詳述したように、本発明によれば、ファクシミリ受信文書の自動印刷中の用紙不足発生に伴う他の印刷ジョブの処理の遅延を回避すると共に、メモリの効率使用を可能とする画像形成装置及び画像形成方法を提供できる。
【図面の簡単な説明】
【図１】本発明の実施の形態に係る画像形成装置の制御系の構成図である。
【図２】本発明の実施の形態に係る画像形成装置たるデジタル複写機の全体構成を示す図である。
【図３】画像形成装置の操作パネルの構成を示す図である。
【図４】実施の形態に係る画像形成装置により、Ｆａｘ機能部１において受信したファクシミリ受信文書を画像メモリ４に蓄積すると同時に、全体管理部６において受信完了まで監視して、受信完了時に印刷ジョブキュー１０に受信印刷ジョブとして登録する過程を説明するための図である。
【図５】本発明の実施の形態に係る画像形成装置の動作を詳細に説明するためのフローチャートである。
【図６】実施の形態に係る画像形成装置による印刷ジョブの削除の可否を選択する処理を示すフローチャートである。
【図７】実施の形態に係る画像形成装置による印刷ジョブの確認処理を示すフローチャートである。
【図８】印刷ジョブの手動削除の動作を示すフローチャートである。
【図９】印刷ジョブの自動削除の動作を示すフローチャートである。
【図１０】印刷ジョブパラメータテーブルの一例を示す図である。
【図１１】印刷ページ管理を説明するための図である。
【符号の説明】
１  Ｆａｘ機能部
２  操作パネル部
３  操作パネル制御部
４  画像メモリ部
５  画像メモリ制御部
６  全体管理部
７  印刷制御部
８  プリンタ部
９  印刷ジョブ制御部
１０  印刷ジョブキュー
【図１】
0003813736.tif 000002
【図２】
0003813736.tif 000003
【図３】
0003813736.tif 000004
【図４】
0003813736.tif 000005
【図５】
0003813736.tif 000006
【図６】
0003813736.tif 000007
【図７】
0003813736.tif 000008
【図８】
0003813736.tif 000009
【図９】
0003813736.tif 000010
【図１０】
0003813736.tif 000011
【図１１】
0003813736.tif 000012